(57)【特許請求の範囲】
【請求項１】
電話機を支持する上側支持部及び下側支持部を有し、壁面に取り付けられる壁付け部材であって、
前記上側支持部は、前記壁面に取り付けられた前記電話機の上側に設けられた上側係合穴と係合され、前記下側支持部は、前記壁面に取り付けられた前記電話機の下側に設けられた下側係合穴と係合される壁付け部材を備え、
前記下側係合穴は、前記下側支持部が係合される複数の係合部が、前記下側係合穴の深さ方向の異なる位置に設けられ、
前記下側支持部は、前記壁付け部材の前記壁面への取付け側とは反対側に向かって延ばされ、前記複数の係合部に対して弾性変形可能に設けられ、
前記下側支持部を係合させる前記係合部を変えることで、前記電話機が前記上側支持部を回動支点として回動され、鉛直方向に対する前記電話機の傾斜角が変化されるように構成されている、電話機の壁掛け支持機構。
【請求項２】
前記下側支持部は、鉛直下方に突出する係合爪を有し、
前記下側係合穴の前記係合部は、前記深穴の鉛直下方側の内面に設けられ、前記係合爪が係合する係合溝である、請求項１に記載の電話機の壁掛け支持機構。
【請求項３】
前記下側支持部は、延ばされた方向の基端側よりも先端側が鉛直下方に位置するように傾斜して形成され、
前記下側係合穴は、前記深さ方向の底側よりも開口側が鉛直下方に位置するように前記深穴の軸線が傾斜して形成されている、請求項１または２に記載の電話機の壁掛け支持機構。
【請求項４】
前記壁付け部材は、略箱状に形成され、
前記下側支持部は、前記壁付け部材の周壁の一部が切り欠かれて、前記周壁に弾性変形可能に一体に形成されている、請求項１ないし３のいずれか１項に記載の電話機の壁掛け支持機構。
【請求項５】
前記壁付け部材には、複数の前記上側支持部及び複数の前記下側支持部がそれぞれ水平方向に並んで設けられ、
前記電話機の筐体には、複数の前記上側係合穴及び複数の前記下側係合穴がそれぞれ水平方向に並んで設けられている、請求項１ないし４のいずれか１項に記載の電話機の壁掛け支持機構。
【発明の詳細な説明】
【技術分野】
【０００１】
本発明は、電話機を壁掛け状態で支持するための電話機の壁掛け支持機構に関する。
【背景技術】
【０００２】
一般に、卓上型の電話機を室内等の壁に取り付けて使用する場合、電話機の底面を鉛直方向と平行にした状態に電話機を支持するための壁掛け支持機構が用いられている。このように壁掛け状態で使用される電話機は、表示パネルや操作パネルが、鉛直面である壁面に対してほぼ平行な状態、または鉛直方向に対して所定の傾斜角で傾斜させた状態で、壁掛け支持機構に支持されている。
【０００３】
本発明に関連する壁掛け支持機構は、電話機の筐体の底面側に係合される支持部を有する壁付け部材を備えている。壁付け部材は、鉛直面に取り付けられており、支持部に電話機の筐体が固定された状態で支持されている。
【０００４】
ところで、電話機を壁掛け状態で使用する際、使用者の目の高さによって、電話機の表示パネルや操作パネルの視認性が乏しい場合がある。このような場合、使用者の目の高さに応じて、表示パネルや操作パネルの向きを傾斜させることが望まれている。
【０００５】
このため、特許文献１には、電話機の操作パネルの傾斜角を調整するための傾斜角度調節具を備える壁掛け支持機構が開示されている。この壁掛け支持機構は、電話機に係合される傾斜角度調節具と、壁面に取り付けられた壁付け部材と、を備えており、電話機が傾斜角度調節具を介して壁付け部材に支持されている。
【０００６】
そして、この壁掛け支持機構では、電話機に係合させる傾斜角度調節具の取付け状態を変更する作業を行うことで、鉛直方向に対する電話機の傾斜角を切り換えることが可能にされており、電話機の操作パネルの視認性が向上されている。
【先行技術文献】
【特許文献】
【０００７】
【特許文献１】特開２００１−１０３１３９号公報
【発明の概要】
【発明が解決しようとする課題】
【０００８】
しかしながら、上述した特許文献１に記載の構成では、壁面に取り付けられた壁付け部材に、電話機が傾斜角度調節具を介して固定されていたので、鉛直方向に対する電話機の表示パネルや操作パネルの傾斜角を変更する場合、電話機に対する傾斜角度調節具の取付け状態を変更する作業が必要であった。
【０００９】
すなわち、特許文献１に記載の構成は、電話機及び壁付け部材から傾斜角度調節具を一旦取り外して、傾斜角度調節具の向きを変えて電話機に係合させるとともに、傾斜角度調節具を壁付け部材に係合させるという作業が煩雑であった。したがって、壁付け状態のままで電話機の傾斜角を切り換えることができなかった。
【００１０】
そこで、本発明は、上記関連する技術の課題を解決するものであって、壁掛け状態のままで電話機の鉛直方向に対する傾斜角を容易に切り換えることができる、電話機の壁掛け支持機構を提供することを目的とする。
【課題を解決するための手段】
【００１１】
上述した目的を達成するため、本発明に係る電話機の壁掛け支持機構は、電話機を支持する上側支持部及び下側支持部を有し、壁面に取り付けられる壁付け部材であって、上側支持部は、壁面に取り付けられた電話機の上側に設けられた上側係合穴と係合され、下側支持部は、壁面に取り付けられた電話機の下側に設けられた下側係合穴と係合される壁付け部材を備える。下側係合穴は、下側支持部が係合される複数の係合部が、下側係合穴の深さ方向の異なる位置に設けられている。下側支持部は、壁付け部材の壁面への取付け側とは反対側に向かって延ばされ、複数の係合部に対して弾性変形可能に設けられている。下側支持部を係合させる係合部を変えることで、電話機が上側支持部を回動支点として回動され、鉛直方向に対する電話機の傾斜角が変化されるように構成されている。
【発明の効果】
【００１２】
本発明によれば、壁掛け状態のままで電話機の鉛直方向に対する傾斜角を容易に切り換えることができる。このため、本発明は、壁掛け状態の電話機の操作性や視認性を向上することができる。
【図面の簡単な説明】
【００１３】
【図１】実施形態の電話機の壁掛け支持機構によって支持された電話機を示す正面図である。
【図２】実施形態の電話機の壁掛け支持機構を一部断面で示す側面図である。
【図３】実施形態の電話機の壁掛け支持機構における壁付け部材を示す図である。
【図４】実施形態の電話機の壁掛け支持機構によって支持される電話機の筐体を底面側から示す平面図である。
【図５】実施形態の電話機の壁掛け支持機構が電話機を支持する第１の状態を説明するための図である。
【図６】実施形態の電話機の壁掛け支持機構が電話機を支持する第２の状態を説明するための図である。
【図７】実施形態の電話機の壁掛け支持機構において、電話機を第１の状態から第２の状態に切り換える動作を説明するための断面図である。
【発明を実施するための形態】
【００１４】
以下、本発明の具体的な実施形態について、図面を参照して説明する。
【００１５】
図１に、実施形態の電話機の壁掛け支持機構によって支持された電話機の正面図を示す。図２に、実施形態の電話機の壁掛け支持機構の側面図を示す。
【００１６】
図１及び図２に示すように、電話機の壁掛け支持機構１は、電話機２と、この電話機２に係合して電話機を支持する壁付け部材６と、を備えている。
【００１７】
電話機２には、いわゆる卓上型の電話機が適用されており、図１に示すように、受話器及び送話器を有する通話部２ａと、複数のボタンが配列された操作パネル２ｂと、各種の情報が表示される表示パネル２ｃと、を備えている。
【００１８】
図３に、実施形態の電話機の壁掛け支持機構１における壁付け部材６を説明するための図を示す。図３（ａ）に、壁付け部材６を示す背面図を示し、図３（ｂ）に、壁付け部材６を下方から見た底面図を示す。また、図３（ｃ）に、壁付け部材６を下方から見た斜視図を示す。
【００１９】
図３（ａ）〜図３（ｃ）に示すように、壁付け部材６は、樹脂材料によって略箱状に形成されており、壁面としての室内の鉛直面に取り付けられる。壁付け部材６は、上面の周壁に、上側支持部としての一対の上側支持片７が一体に形成されている。一対の上側支持片７は、図３（ａ）に示すように、それぞれ水平方向に並んで配置されている。また、上側支持片７の先端部には、電話機２の筐体に係合される上側係合爪７ａが、鉛直上方側に突出して形成されている。
【００２０】
また、壁付け部材６は、図３（ｂ）及び図３（ｃ）に示すように、底面の周壁の一部が切り欠かれることで、下側支持部としての一対の下側支持片８が、壁付け部材６の壁面への取付け側とは反対側に向かって、すなわち電話機２の筐体に向かって延びるように形成されることによって、弾性変形可能に設けられている。一対の下側支持片８は、図３（ａ）に示すように、それぞれ水平方向に並んで配置されている。また、下側支持片８の先端部には、図３（ａ）及び図３（ｃ）に示すように、電話機２の筐体に係合される下側係合爪８ａが、鉛直下方側に突出して形成されている。
【００２１】
図４に、実施形態の壁掛け支持機構１によって支持される電話機２の筐体を底面側から見た平面図を示す。また、図２及び図４に示すように、電話機２が有する筐体１０には、壁付け部材６の一対の上側支持片７及び一対の下側支持片８がそれぞれ係合される一対の上側係合穴１１及び一対の下側係合穴１２が設けられている。
【００２２】
一対の上側係合穴１１は、筐体１０の底面に、水平方向に並んで配置されている。上側係合穴１１の開口縁には、上側支持片７の上側係合爪７ａが係合される係合溝１４が設けられている。一対の下側係合穴１２は、筐体１０の底面に、水平方向に並んで配置されている。
【００２３】
また、下側係合穴１２は、深穴であり、下側支持片８の下側係合爪８ａが係合される係合部としての第１の係合溝１５及び第２の係合溝１６が、下側係合穴１２の深さ方向の異なる位置に設けられている。第１の係合溝１５は、下側係合穴１２の深さ方向の開口側に位置しており、第２の係合溝１６は、下側係合穴１２の深さ方向の底側に位置している。
【００２４】
また、下側係合穴１２は、深さ方向の底側よりも開口側が鉛直下方に位置するように深穴の軸線が傾斜して形成されている。また、上述した壁付け部材６の下側支持片８は、延ばされた方向の基端側よりも先端側が鉛直下方に位置するように傾斜して形成されている。つまり、下側支持片８の延在方向と、下側係合穴１２の軸線方向とが、略Ｖ字状をなす所定の角度をもって交差するように構成されている。
【００２５】
このように構成されることによって、下側支持片８の下側係合爪８ａが、下側係合穴１２の深さ方向に沿って第１の係合溝１５から第２の係合溝１６に、及び第２の係合溝１６から第１の係合溝１５に移動したときに、鉛直下方側に突出する下側係合爪８ａが、第１及び第２に係合溝１５，１６に容易かつ確実に係合することが可能にされている。したがって、第１の状態と第２の状態との切り換え動作を円滑に行うことができる。
【００２６】
図５に、実施形態の壁掛け支持機構１が電話機２を支持する第１の状態を説明するための図を示す。図５（ａ）に、壁掛け支持機構１が電話機２を支持する第１の状態の側面図を示す。図５（ｂ）に、筐体１０の下側係合穴１２の第１の係合溝１５に下側支持片８の下側係合爪８ａが係合された状態を拡大した断面図を示す。
【００２７】
図５（ａ）及び図５（ｂ）に示すように、壁掛け支持機構１は、第１の状態で、下側係合穴１２の第１の係合溝１５に、下側支持片８の下側係合爪８ａが係合されている。第１の状態において、電話機２の操作パネル２ｂ及び表示パネル２ｃは上方に向けられている。
【００２８】
図６に、実施形態の壁掛け支持機構１が電話機２を支持する第２の状態を説明するための図を示す。図６（ａ）に、壁掛け支持機構１が電話機２を支持する第２の状態の側面図を示す。図６（ｂ）に、筐体１０の下側係合穴１２の第２の係合溝１６に下側支持片８の下側係合爪８ａが係合された状態の断面図を示す。
【００２９】
図６（ａ）及び図６（ｂ）に示すように、壁掛け支持機構１は、第２の状態で、下側係合穴１２の第２の係合溝１６に、下側支持片８の下側係合爪８ａが係合されている。第２の状態において、電話機２の操作パネル２ｂ及び表示パネル２ｃは鉛直方向とほぼ平行になっている。
【００３０】
なお、本実施形態では、壁掛け支持機構１が第１の状態から第２の状態に切り替わることで、鉛直方向に対する電話機２の傾斜角が３０度程度変化するように設定されている。
【００３１】
以上のように構成された壁掛け支持機構１について、鉛直方向に対する電話機２の傾斜角を切り換える動作を説明する。図７に、実施形態の壁掛け支持機構１において、電話機２を第１の状態から第２の状態に切り換える動作を説明するための断面図を示す。
【００３２】
まず、壁掛け支持機構１は、筐体１０の上側係合穴１１に上側支持片７の上側係合爪７ａが係合された状態で、図７（ａ）に示すように、下側係合穴１２内に下側支持片８が挿入される。
【００３３】
そして、図７（ｂ）に示すように、下側係合穴１２の第１の係合溝１５に下側係合爪８ａが係合されることで、電話機２は壁付け部材６に第１の状態で支持される。このとき、図５（ａ）に示したように、電話機２の操作パネル２ｂ及び表示パネル２ｃは上方に向けられている。
【００３４】
次に、第１の状態から第２の状態に切り換える場合、使用者は、図７（ｃ）に示すように、指先等で下側支持片８を下方から上方に向かって矢印Ｆ方向に押し上げる。これによって、下側支持片８が弾性変形されて、第１の係合溝１５と下側係合爪８ａとの係合状態が解除される。
【００３５】
続いて、第１の係合溝１５と下側係合爪８ａとの係合が解除された状態で、上側係合穴１１の係合溝１４に係合された上側係合爪７ａを回動支点として上側支持片７を回動させる。実際には、上側係合穴１１の係合溝１４に係合されている上側係合爪７ａを回動支点として、電話機２の筐体１０が壁付け部材６に対して回動操作される。このため、上述した上側係合穴１１は、上側支持片７の上側係合爪７ａが回動されたときであっても、上側係合爪７ａと係合溝１４との係合状態が保たれるような形状に形成されている。
【００３６】
図７（ｄ）に示すように、上側係合爪７ａを回動支点として筐体１０が壁付け部材６に対して回動することで、下側係合穴１２の第１の係合溝１５から第２の係合溝１６に向かって下側支持片８の下側係合爪８ａが移動する。
【００３７】
そして、図７（ｅ）に示すように、下側係合穴１２の底側に向かって下側支持片８が挿入されることで、下側支持片８の下側係合爪８ａが下側係合穴の内面に沿って摺動し、下側係合爪８ａが第２の係合溝１６に係合される。これによって、第１の状態から第２の状態に切り換えられ、電話機２は、壁付け部材６に対して第２の状態で支持される。このとき、図６（ａ）に示したように、電話機２の操作パネル２ｂ及び表示パネル２ｃは鉛直方向とほぼ平行にされている。
【００３８】
また、第２の状態から第１の状態に切り換える場合も上述と同様に、下側支持片８を下方から上方に押し上げて弾性変形させることで、第２の係合溝１６と下側係合爪８ａとの係合状態を解除し、下側係合爪８ａを第１の係合溝１５に係合させることで、第１の状態に容易に切り換えられる。
【００３９】
上述したように、実施形態の壁掛け支持機構１は、第１及び第２の係合溝１５，１６を有する下側係合穴１２が設けられた筐体１０と、下側係合穴１２に係合する下側支持片８が弾性変形可能に設けられた壁付け部材６とを備えることによって、壁掛け状態のままで電話機２の鉛直方向に対する傾斜角を容易かつ確実に切り換えることができる。このため、実施形態は、壁掛け状態の電話機２の表示パネル２ｂの操作性や、操作パネル２ｃの視認性を向上することができる。
【００４０】
また、本実施形態によれば、比較的簡素な構造で、鉛直方向に対する電話機２の傾斜角を切り換えることが可能になる。
【００４１】
また、本実施形態では、壁付け部材６の一対の上側支持片７及び一対の下側支持片８が、筐体１０の一対の上側係合穴１１及び一対の下側係合穴１２にそれぞれ係合されることで、壁付け部材６に対して筐体１０が回動する動作の信頼性、及び第１の状態と第２の状態とに切り換える動作の信頼性を向上することができる。
【００４２】
図示しないが、上述した実施形態では、下側係合穴１２が第１及び第２の係合溝１５，１６を有する構成にされたが、必要に応じて更に第３の係合溝が設けられてもよく、更に他の状態で電話機２を支持することが可能になる。
【００４３】
なお、本実施形態の壁掛け支持機構では、電話機２の操作パネル２ｂが上方に向けられた第１の状態と、操作パネル２ｂが鉛直方向と平行な第２の状態とに切り換えられることで、電話機２が仰角方向に対して回動するように構成された。しかし、本発明は、この構成に限定されるものではなく、例えば操作パネル２ｂが下方に向けられた他の状態に切り換えられることで、電話機２が俯角方向に対して回動するように構成されてもよい。
【００４４】
また、本実施形態では、上側支持片７の上側係合爪７ａを回動支点として筐体１０が壁付け部材６に対して回動するように構成されたが、上側係合穴に第１及び第２の係合溝が設けられ、下側係合穴に係合された下側支持片の下側係合爪を回動支点として筐体が壁付け部材に対して回動するように構成されてもよい。
【００４５】
また、本実施形態では、壁付け部材６が筐体１０に係合されるように構成されたが、例えば、上側係合穴及び下側係合穴が設けられた係合部材が筐体に取り付けられ、この係合部材に対して壁付け部材が係合されるように構成されてもよい。
【符号の説明】
【００４６】
１  壁掛け支持機構
２  電話機
６  壁付け部材
７  上側支持片
８  下側支持片
１０  筐体
１１  上側係合穴
１２  下側係合穴
１５  第１の係合溝
１６  第２の係合溝
【図１】
0005130548.tif 000002
【図２】
0005130548.tif 000003
【図３】
0005130548.tif 000004
【図４】
0005130548.tif 000005
【図５】
0005130548.tif 000006
【図６】
0005130548.tif 000007
【図７】
0005130548.tif 000008